(57)【特許請求の範囲】
【請求項１】
軽量間仕切り壁内に配設され、前面に開口を有する配線ボックスと前記軽量間仕切り壁内に前記配線ボックスを固定するための固定具とを備えた軽量間仕切り壁用配線ボックス装置であって、
前記配線ボックスは、前記固定具に取着可能な取着部を底壁外側に有し、前記取着部に取着された固定具が底壁外面より開口側に位置するよう前記底壁の中央を横断するように凹部が形成され、前記底壁の該凹部の部分は、前記配線ボックスの内部空間に突出し、
前記固定具は、平板状であって、その長手方向に沿うように複数の長孔が形成されており、
前記凹部は、その開口幅と取着される固定具の幅とがほとんど同一にされるとともに、取着部に取着された固定具の端部側壁が当接する当接部を備えてなり、
前記固定具に対して該凹部を対向させた状態で、該固定具に一方向に近接させることで前記凹部に固定具を取着可能で、前記凹部に前記固定具を取着した状態で、前記凹部に設けられた取付穴の凹部幅方向の位置が、前記固定具の長穴の固定具幅方向の位置に対応したものとなっていることを特徴とする軽量間仕切り壁用配線ボックス装置。
【請求項２】
前記凹部は、取着部に取着された固定具を底壁外面から突出させることなく収容することを特徴とする請求項１に記載の軽量間仕切り壁用配線ボックス装置。
【請求項３】
前記取着部は、固定具に弾性的に取着可能であることを特徴とする請求項１または２に記載の軽量間仕切り壁用配線ボックス装置。
【発明の詳細な説明】
【０００１】
【発明の属する技術分野】
本発明は、建築物の軽量間仕切り壁に固定具を介して配設される軽量間仕切り壁用配線ボックス及び軽量間仕切り壁用配線ボックス装置に関するものである。
【０００２】
【従来の技術】
従来、住宅などの建築物の室内は軽量間仕切り壁で区画されている。図１４乃至図１６に示すように、床面に立設された軽量間柱４１の側壁に２枚の軽量間仕切り壁４２が一定間隔をおいて平行に取付けられている。そして、２枚の軽量間仕切り壁４２で挟まれた隙間内には、固定具２１を介して配線ボックス２が配設されている。
【０００３】
前記固定具２１は金属製板材からなり、２本の軽量間柱４１の間に架設されている。前記固定具２１は、平板の幅方向の両端部にフランジを設けて断面略Ｃ字状に形成された僅かに大きさの異なる２本の外側固定板２２と内側固定材２３とを嵌合し、互いに長さ方向に摺動して全体の長さを調整できるようになっており、これによって、間隔の異なる軽量間柱４１に対応して架設できるようになっている。そして、前記固定具２１の幅方向中央にはねじ３４が螺着または挿通される複数の長孔２４が一定間隔毎に長さ方向に沿って設けられている。そこで、前記ねじ３４を前記長孔２４に螺着し、または、挿通してナットを取付ければ、前記配線ボックス２はこのねじ３４により、前記固定具２１に対するその長さ方向即ち水平方向への移動と前記配線ボックス２自身の上下方向の回動とが規制され、前記固定具２１に対して一定位置に保持される。
【０００４】
一方、前記配線ボックス２は合成樹脂製で、一面が開口した有底箱体状に形成されている。前面に設けられた開口３の周縁の２箇所には、内部空間側に向けて突出する突出部８が形成されており、この突出部８にはカバー取付孔９が形成されている。また、底壁４は平板状に形成されており、前記固定具２１と平面的に当接するようになっている。更に、側壁６及び底壁４には打抜きによって図示しないケーブルを挿通するための挿通孔を形成できるノック７が設けられている。
【０００５】
前記配線ボックス２の開口３には塗代カバー３１を取付けることができる。この塗代カバー３１は、図１７に示すように、四角枠状に形成されており、中央の開口の周縁には、前記配線ボックス２の突出部８のカバー取付孔９と対向して２箇所にねじが挿通される挿通孔３１ａが設けられているとともに、配線器具取付枠３３を取付けるための枠取付孔３１ｂが４箇所に設けられている。
【０００６】
前記配線器具取付枠３３には複数個、図１７においては３個の配線器具３２を取付けることができ、上下２箇所に設けられた挿通孔３３ａにねじ３４を挿通して前記塗代カバー３１の４箇所の枠取付孔３１ｂに螺着し、２個を横に並設できるようになっている。
【０００７】
【発明が解決しようとする課題】
しかし、一般に、室内を区画するために、軽量間柱４１の側壁に取付けられる２枚の軽量間仕切り壁４２の隙間は小さいので、配線ボックス２の底壁４を固定具２１に取着したときの軽量間仕切り壁４２との干渉を防止するために、配線ボックス２の高さを小さくしなければならなかった。その結果、ケーブル、配線器具等の収容能力が減少し、無理にケーブル等を押込めば、ケーブル等を破損し、接触不良となるおそれがあった。
【０００８】
また、前記配線ボックス２は固定具２１の長孔２４に螺着または挿通されたねじ３４のみによって、前記固定具２１に対するその長さ方向即ち水平方向への移動と前記ねじ３４を軸とした前記配線ボックス２自身の上下方向の回動とが規制され、前記固定具２１に対して一定位置に保持されるものとなっていたため、取付具である前記ねじ３４には過大な負担が加わっていた。
【０００９】
更に、配線ボックス２の開口縁部には塗代カバー３１を取付けるためのカバー取付孔９のみが設けられ、配線器具取付枠３３は前記塗代カバー３１の開口周縁に設けられた枠取付孔３１ｂにねじ３４を螺着して取付けられており、配線器具取付枠３３は塗代カバー３１を介して配線ボックス２に取付けられていた。このため、前記塗代カバー３１を取付ける必要がないときでも、前記塗代カバー３１を介在させて配線器具取付枠３３を配線ボックス２に取付けなければならず、配線ボックス２の高さをより一層小さくしなければならなかった。
【００１０】
そこで、本発明は、建築物室内を区画する軽量間仕切り壁間の狭い隙間内に固定具を介して配設された場合でも、ケーブル、配線器具等の所要の収容能力を確保できるとともに、ねじ等の取付具に無理な負担をかけることなく前記軽量間仕切り壁間に配設された固定具に取着できる軽量間仕切り壁用配線ボックス及び軽量間仕切り壁用配線ボックス装置の提供を課題とするものである。
【００１１】
【課題を解決するための手段】
本発明にかかる軽量間仕切り壁用配線ボックスは、軽量間仕切り壁内に配設されるものであって、前記軽量間仕切り壁内に配設するための固定具に取着可能な取着部を底壁外側に有し、前記取着部に取着された固定具が底壁外面より開口側に位置するよう前記底壁に凹部が形成されたものである。
【００１２】
本発明にかかる軽量間仕切り壁用配線ボックスは、前記凹部が、取着部に取着された固定具を底壁外面から突出させることなく収容するものである。
【００１３】
本発明にかかる軽量間仕切り壁用配線ボックスは、前記凹部に、取着部に取着された固定具の端部側壁が当接する当接部が形成されたものである。
【００１４】
本発明にかかる軽量間仕切り壁用配線ボックスは、前記凹部が、取着される固定具の外部形状に沿った形状に形成されたものである。
【００１５】
本発明にかかる軽量間仕切り壁用配線ボックスは、前記凹部が、底壁の中央を横断するように形成されたものである。
【００１６】
本発明にかかる軽量間仕切り壁用配線ボックスは、前記取着部が、固定具に弾性的に取着可能なものである。
【００１７】
請求項１にかかる軽量間仕切り壁用配線ボックス装置は、軽量間仕切り壁内に配設され、前面に開口を有する配線ボックスと前記軽量間仕切り壁内に前記配線ボックスを固定するための固定具とを備えた軽量間仕切り用配線ボックス装置であって、
前記配線ボックスは、前記固定具に取着可能で、その反対側が開口とされた取着部を底壁外側に有し、前記取着部に取着された固定具が底壁外面より開口側に位置するよう前記底壁に凹部が形成され、前記底壁の該凹部の部分は、前記配線ボックスの内部空間に突出し、
前記固定具は、平板状であって、その長手方向に沿うように複数の長孔が形成されており、前記凹部は、その開口幅と取着される固定具の幅とがほとんど同一にされるとともに、取着部に取着された固定具の端部側壁が当接する当接部を備えてなり、
前記固定具に対して該凹部を対向させた状態で、該固定具に一方向に近接させることで前記凹部に固定具を取着可能で、前記凹部に前記固定具を取着した状態で、前記凹部に設けられた取付穴の凹部幅方向の位置が、前記固定具の長穴の固定具幅方向の位置に対応したものとなっていることを特徴とする。
【００１８】
請求項２にかかる軽量間仕切り壁用配線ボックス装置は、請求項１に記載の凹部が、取着部に取着された固定具を底壁外面から突出させることなく収容するものである。
【００１９】
請求項１にかかる軽量間仕切り壁用配線ボックス装置は、前記凹部に、取着部に取着された固定具の端部側壁が当接する当接部が形成されたものである。
【００２０】
請求項１の発明にかかる軽量間仕切り壁用配線ボックス装置は、前記凹部が、取着される固定具の外部形状に沿った形状に形成されたものである。
【００２１】
請求項１の発明にかかる軽量間仕切り壁用配線ボックス装置は、前記凹部が、底壁の中央を横断するように形成されたものである。
【００２２】
請求項１の発明にかかる軽量間仕切り壁用配線ボックス装置は、前記固定具が、平板状に形成されたものである。
【００２３】
請求項３の発明にかかる軽量間仕切り壁用配線ボックス装置は、請求項１または請求項２に記載の取着部が、固定具に弾性的に取着可能なものである。
【００２４】
【発明の実施の形態】
以下、本発明の実施例を図１乃至図１１に基づいて説明する。図において、住宅などの建築物の室内は軽量間仕切り壁４２によって区画されており、床面に立設された軽量間柱４１の２面の側壁に２枚の前記軽量間仕切り壁４２が一定間隔をおいて平行に取付けられている。そして、２枚の軽量間仕切り壁４２で挟まれた隙間内には、固定具２１を介して配線ボックス２が配設されている。ここで、これらの配線ボックス２と固定具２１とは配線ボックス装置１を構成している。
【００２５】
前記固定具２１は金属製板材からなり、２本の軽量間柱４１の間に架設されている。前記固定具２１は、平板の幅方向の両端部にフランジを設けて断面略Ｃ字状に形成された僅かに大きさの異なる２本の外側固定板２２と内側固定板２３とを嵌合し、互いに長さ方向に摺動して長さを調整できるようになっており、これによって、間隔の異なる軽量間柱４１に対応して架設できるようになっている。そして、前記固定具２１の幅方向中央にはねじ３４が螺着または挿通される複数の長孔２４が一定間隔毎に長さ方向に沿って設けられている。また、前記外側固定板２２及び内側固定板２３のそれぞれの一方の端部には板材を直角方向に折曲してなるフランジ２５が設けられており、これらのフランジ２５に設けたねじ取付孔にねじを挿通し、或いは、これらのフランジ２５の外面に両面テープを貼着して接着し、これらの外側固定板２２及び内側固定板２３を前記軽量間柱４１の側面に取付けできるようになっている。
【００２６】
ここで、前記固定具２１は外側固定板２２と内側固定板２３との２部材で構成しているが、１枚の平板のみによって構成しても構わない。また、前記固定具２１は２本の軽量間柱４１の間に架設されているが、１本の軽量間柱４１に水平に片持ち構造として取付けることもできる。なお、前記固定具２１の外側固定板２２及び内側固定板２３は平板の幅方向の両端部にフランジを設けて断面略Ｃ字状に形成されているが、請求項の平板状に形成された固定具には前記平板の幅方向の両端部にフランジを設けた固定具も含まれる。
【００２７】
一方、前記配線ボックス２は合成樹脂製で、一面が開口した有底箱体状に形成されている。前面に設けられた開口３の周縁には、内部空間側に向けて突出する突出部８が形成されており、この突出部８にはカバー取付孔９が設けられている。また、側壁６及び底壁４には打抜きによって図示しないケーブルを挿通するための挿通孔を形成できるノック７が設けられている。
【００２８】
更に、前記配線ボックス２の底壁４の中央には水平方向に一定幅の凹部５が形成されており、この凹部５に前記固定具２１を水平方向に収容できるようになっている。前記凹部５は前記固定具２１の厚さと略同一の深さを有するとともに、前記固定具２１の外部形状に沿った形状に形成されている。そして、底壁４の凹部５には水平方向に所定の間隔をおいて３個の取付孔５ａが設けられており、前記固定具２１を前記凹部５内に収容した後、ねじ３４を前記取付孔５ａに挿入し、次いで、前記固定具２１の長孔２４に螺着し、または、挿通してナットを取付けることにより、前記配線ボックス２を前記固定具２１に保持させることができるようになっている。
【００２９】
ここで、前記凹部５は固定具２１の外部形状に沿った形状に形成され、凹部５の開口幅と固定具２１の幅とがほとんど同一であり、固定具２１の上下の端部側壁２１ａが凹部５の側壁５ｂと当接するので、前記配線ボックス２自身がねじ３４を軸として上下方向に回動するのが防止される。したがって、ねじ３４は配線ボックス２の凹部５に適宜間隔をおいて穿設された３個の取付孔５ａのうち、例えば、中央の１個に螺着すれば足りる。なお、前記凹部５の側壁５ｂは請求項の当接部に相当するものである。
【００３０】
また、図７に示すように、凹部５の側壁５ｂに奥行方向に複数の突条５ｄを設ければ、弾性的保持力が大きくなるとともに、配線ボックス２が固定具２１に対してその長さ方向に移動するのを防止する効果が高まる。
【００３１】
ところで、前記配線ボックス２の凹部５は、図８に示すように、その上下の開口縁部に前記配線ボックス２の成形後の型抜きに支障をきたさない範囲で極く小さな突条５ｃを水平方向に設けることにより、凹部５の開口幅を前記固定具２１の幅より僅かに小さく形成し、内部に前記固定具２１を強制的に圧入して、弾性的に保持するものとすることもできる。この場合には、凹部５の取付孔５ａにねじ３４を螺着しなくても前記固定具２１に前記配線ボックス２を保持させることができる。但し、圧入した後、ねじ３４を取付ければ、より安定して配線ボックス２を固定具２１に保持させることができる。
【００３２】
次に、前記配線ボックス２の前面の開口３の周縁の４箇所には突出部８が設けられており、左上と右下の２箇所の突出部８には塗代カバーを取付けるためのカバー取付孔９が設けられているとともに、上下左右の４箇所の突出部８には配線器具取付枠３３を直接取付けるための枠取付孔１０が設けられている。
【００３３】
前記配線器具取付枠３３には複数個、図９においては上下に３個の配線器具３２を取付けることができ、上下端部２箇所に設けられた挿通孔３３ａにねじ３４を挿通して前記配線ボックス２の開口の４箇所の枠取付孔１０に螺着し、２個を横に並設することができるようになっている。
【００３４】
次に、このように構成された本実施例の配線ボックスの作用を説明する。配線ボックス２の底壁４には凹部５が形成されているので、前記配線ボックス２は前記凹部５において前記固定具２１に取着することができる。このため、図５に示すように、固定具２１の厚さｔは配線ボックス２の高さｈ１に吸収されるので、底壁４の外面のうち、この凹部５の部分だけは前記配線ボックス２の内部空間に突出することにはなるが、その他の部分における底面４ａから開口面までの内部高さｈ２は変化しないから、内部へのケーブル、配線器具等の収容能力はほとんど低下しない。
【００３５】
そして、固定具２１が凹部５に弾性的に保持される場合には、ねじ３４は不要となる。また、弾性的に保持されない場合においても、前記凹部５の形状は固定具２１の外部形状に沿った形状に形成され、凹部５の開口幅と固定具２１の幅とがほとんど同一であるので、配線ボックス２自身が固定具２１に対してねじ３４を軸として上下方向に回動しようとしても、前記固定具２１の上下の端部側壁２１ａが前記凹部５の側壁５ｂと当接して阻止される。このため、例えば、凹部５の中央の１個の取付孔５ａにねじ３４を螺着するだけで、前記配線ボックス２が水平方向に移動するのを防止でき、かつ、前記配線ボックス２自身がねじ３４を軸として上下方向に回動するのを防止できる。そして、ねじ３４は前記配線ボックス２が水平方向に移動するのを阻止さえすればよいので、前記ねじ３４に加わる負担は軽減される。
【００３６】
また、底壁４に凹部５が形成されているので、底壁４全体が平面形状の場合と比べて底壁４の強度が大きくなり、その分底壁４の板厚を小さくすることができるため、ケーブル、配線器具等の収容能力を維持したまま、配線ボックス２の高さを一層小さくすることができる。
【００３７】
ところで、前記配線ボックス２の底壁４の凹部５は、固定具２１の厚さが小さい場合には、図１０（以下、本図から図１３までは凹部についての参考実施例である。）に示すように、底壁４の肉厚の範囲内で形成し、底壁４の底面４ａより内部空間側に突出しないものとすることもできる。但し、凹部における底壁は薄くなるので、前記配線ボックス２が軽量間仕切り壁４２間に配設される場合に限らず、コンクリート壁間に埋設される配線ボックスとしても適用される場合には、少なくともコンクリートの打設圧に耐え得る肉厚とする必要がある。
【００３８】
なお、凹部５における底壁４の肉厚が小さい場合には、図１１に示すように、この部分の底壁４の底面４ａに線状のリブ１１を縦方向に形成することもできる。これにより、薄肉部分の強度が向上し、コンクリート壁に埋設する場合には、コンクリートの打設圧等にも耐えることが可能となる。
【００３９】
このように、本発明の軽量間仕切り壁用配線ボックス装置は、軽量間仕切り壁４２内に配設される配線ボックス２と前記軽量間仕切り壁４２内に固定するための固定具２１とを備えたものであって、前記配線ボックス２の底壁４に、前記固定具２１に取着可能な取着部であるとともに取着後の前記固定具２１を前記底壁４の外面より開口３側に位置せしめる凹部５が形成されたものである。
【００４０】
したがって、配線ボックス２の底壁４の凹部５において固定具２１に取着し、前記固定具２１をこの凹部５内に位置させることができるため、固定具２１の厚さを配線ボックス２の高さｈ１に吸収させることができる。これにより、配線ボックス２の高さｈ１を小さくしなければ、軽量間仕切り壁４２内に配設することができないことがあるという不具合を解消することができる。その結果、ケーブルの余長部等を無理なく収容できる空間を確保できるので、無理にケーブルの余長部を押込むことによる前記ケーブルの破損及びそれに伴う接触不良が生ずるのを防止することができ、かつ、室内を区画する壁厚を薄くすることができる。
【００４１】
また、固定具２１が凹部５に弾性的に保持される場合には、固定用のねじ３４を不要とすることもできる。また、弾性的に保持されない場合においても、前記凹部５を固定具２１の形状に沿って形成し、固定具２１の端部側壁２１ａが当接する側壁５ｂを形成しているので、前記固定具２１の上下の端部側壁２１ａが前記凹部５の側壁５ｂと当接して前記配線ボックス２自身がねじ３４を軸として上下方向に回動するのを防止できる。このため、例えば、凹部５の中央の１個の取付孔５ａに対してねじ３４を取付けるだけで、前記配線ボックス２の水平方向の移動と前記配線ボックス２自身の上下方向の回動を防止して前記配線ボックス２を安定して固定具２１に保持することができるとともに、ねじ３４に加わる負担を軽減することができる。
【００４２】
更に、配線ボックス２の前面の開口３の周縁の４箇所に突出部８が設けられ、左上と右下の２箇所の突出部８には塗代カバーを取付けるためのカバー取付孔９が設けられているとともに、上下左右の４箇所の突出部８には配線器具取付枠３３を直接取付けるための枠取付孔１０が設けられているので、塗代カバーを使用しない場合には、配線器具取付枠３３を直接配線ボックス２の開口３に取付けることができる。このため、従来のように、塗代カバーを介して配線器具取付枠３３を取付けていたものと比べて、塗代カバーの厚さ分だけ全体としての高さを小さくすることができる。その結果、室内を区画する壁厚を薄くすることができる。
【００４３】
ところで、上記各実施例では、固定具２１は平板状に形成されているが、これに限られるものではなく、例えば、図１２に示すように、上下２本の金属製または合成樹脂製の棒材２６を１個の取付金具２７の上下端部に保持させ、前記取付金具２７の平面部分にねじ孔を設けて固定具２１を形成し、前記ねじ孔にねじ３４を挿通して配線ボックス２の底壁４の凹部５に螺着して固定するものとすることもできる。ここで、前記取付金具２７の上辺及び下辺を配線ボックス２の凹部５の側壁５ｂに当接するものとすれば、１本のねじ３４を螺着するだけで、配線ボックス２を取付けることができるとともに配線ボックス２自身の上下方向の回動を防止することができる。また、前記固定具２１の棒材２６は前記配線ボックス２の凹部５の上下の側壁５ｂと当接するので、前記配線ボックス２を取着する際の案内としても機能する。但し、図１２では、前記固定具２１は２本の棒材２６と前記取付金具２７とで構成しているが、１本の棒材２と取付金具２７とで構成することもできる。
【００４４】
なお、ノック７は配線ボックス２の側壁６の他、底壁４の凹部５にも設けられている。これは、配線器具３２に接続されているケーブル等を側壁６のノック７から取出そうとすると、前記ケーブル等を配線ボックス２内で鋭角に屈曲させなければならず、前記ケーブル等に過大な負担がかかることになるところ、前記凹部５のノック７から底壁５と軽量間仕切り壁４２との隙間を通して取出せば、鋭角に屈曲させなくてもよいので、ケーブル等に負担がかからないことから設けたものである。
【００４５】
次に、別の実施例を図１３に示す。図１３において、配線ボックス２の底壁４の凹部５は図２の配線ボックスと同様に底壁４の略中央部に水平方向に一定幅で形成されている。一方、固定具２１は金属製或いは合成樹脂製の棒材の一部を略コ字状に折曲してなり、前記折曲部における上下の水平方向の棒材の外面間寸法は前記配線ボックス２の凹部５の幅より僅かに大きく形成されている。この実施例の場合には、前記配線ボックス２の凹部５に前記固定具２１を圧入するようにして前記配線ボックス２を押込めば、前記配線ボックス２は弾性的に前記固定具２１に取着される。したがって、ねじを使用することなく、簡単に配線ボックス２を取着することができる。
【００４６】
なお、前記棒材は略コ字状ではなく、波状に湾曲形成することにより、丸棒の弾性力をより大きくし、保持力を更に高めることもできる。
【００４７】
更に、前記凹部５を、固定具２１の棒材に沿ってこれが嵌合する溝として形成すれば、ねじを使用することなく、この溝に圧入するように配線ボックス２を固定具２１に押込んで保持、取着することができる。
【００４８】
また、前記棒材からなる固定具２１において前記配線ボックス２の凹部５の側壁５ｂとの当接面を粗くして凹凸面を形成すれば、前記固定具２１と前記配線ボックス２の凹部５の側壁５ｂとの間における水平方向の摺動抵抗を大きくして保持力をより高めることもできる。
【００４９】
加えて、前記固定具２１は底壁４の高さ方向の中央部において水平方向に前記配線ボックス２を取着しているが、図示しない取付金具などを介して前記配線ボックス２の底壁４の上端若しくは下端または上下両端の角部において取着するものとすることもできる。この場合には、固定具としての棒材は底壁４の端部に設けられるので、前記配線ボックス２の底壁４の一部がその内部空間側に突出せず、このため、収容能力を一層大きくすることができる。なお、請求項において、凹部とは、表面が内部に落ち込んで周囲より低く下がっている部分を意味する。前記配線ボックス２の上、下の端部における角部の空間は、前述の図２等に記載した底部４の凹部５と同様に、底壁４の外面が内部に落ち込んで前記底壁４の外面より低く下がっており、この角部の空間も請求項の凹部に相当する。
【００５０】
【発明の効果】
以上のように、請求項１の発明は、軽量間仕切り壁内に配設するための固定具に取着可能な取着部を配線ボックスの底壁外側に設け、前記取着部に取着された固定具が底壁外面より開口側に位置するよう前記底壁に凹部を形成したものである。したがって、配線ボックスの底壁の凹部において固定具に取着し、前記固定具をこの凹部内に位置させることができるため、配線ボックスの高さの寸法に吸収することができる。その結果、ケーブルの余長部等を無理なく収容できる空間を確保することができるので、無理にケーブルの余長部を押込むことによる前記ケーブルの破損及びそれに伴う接触不良を生ずるのを防止することができ、かつ、室内を区画する壁厚を薄くすることができる。
【００５１】
請求項２の発明は、特に、配線ボックスの凹部が、取着部に取着された固定具を底壁外面から突出させることなく収容するものである。したがって、特に、固定具の厚さ分の寸法を前記配線ボックスの凹部において完全に吸収することができる。
【００５２】
請求項１の発明は、特に、配線ボックスの凹部に、取着部に取着された固定具の端部側壁が当接する当接部が形成されたものである。したがって、特に、前記当接部によって前記固定具に対して前記配線ボックス自身が上下方向に回動するのが防止されるので、１本のねじを螺着するだけで、固定具に配線ボックスを取着することができる。また、配線ボックスの当接部が配線ボックス自身の上下方向の回動を阻止することにより、ねじに加わる負担を軽減することができる。
【００５３】
請求項１の発明は、特に、配線ボックスの凹部が、取着される固定具の外部形状に沿った形状に形成されたものである。したがって、特に、凹部の側壁全体が固定具の外縁部と当接し、当接部分が大きいため、固定具に配線ボックスをより安定して保持させることができる。
【００５４】
請求項１の発明は、特に、配線ボックスの収容部が、底壁の中央を横断するように形成されたものである。したがって、特に、固定具に保持させた配線ボックスの安定性がよいという効果を奏する。
【００５５】
請求項３の発明は、特に、配線ボックスの取着部が、固定具に弾性的に取着可能なものである。したがって、特に、ねじを使用することなく、配線ボックスを押込むだけで簡単に固定具に取付けることができる。
【００５６】
請求項１の発明は、特に、固定具が、平板状に形成されたものである。したがって、特に、固定具の剛性が高く、配線ボックスの重量によって撓むのを防止できるとともに、固定具に対して配線ボックスを安定した状態で取着できる。
【図面の簡単な説明】
【図１】 本発明の実施例の配線ボックス装置の斜視図である。
【図２】 図１の配線ボックスを底壁側から見た斜視図である。
【図３】 図１の配線ボックスを開口側から見た斜視図である。
【図４】 図１の配線ボックスの正面図である。
【図５】 図１の配線ボックスの縦断面図である。
【図６】 図１の配線ボックス装置を底壁側から見た斜視図である。
【図７】 図１の配線ボックスの変形例を示す斜視図である。
【図８】 図１の配線ボックスの別の変形例を示す縦断面図である。
【図９】 図１の配線ボックスの開口に配線器具取付枠を取付ける状態を示す斜視図である。
【図１０】 図１の配線ボックスの参考例を示す縦断面図である。
【図１１】 図１の配線ボックスの参考例を示す縦断面図である。
【図１２】 本発明の参考例における配線ボックス装置の斜視図である。
【図１３】 本発明の別の参考例における配線ボックス装置の斜視図である。
【図１４】 従来の配線ボックス装置を示す斜視図である。
【図１５】 図１４の配線ボックスの正面図である。
【図１６】 図１４の配線ボックスの縦断面図である。
【図１７】 図１４の配線ボックスの開口に塗代カバー及び配線器具取付枠を取付ける状態を示す斜視図である。
【符号の説明】
１ 取付ボックス装置
２ 取付ボックス
３ 開口
４ 底壁
５ 凹部
５ｂ 側壁
１１ リブ
２１ 固定具
２１ａ 側壁端部
２６ 棒材
２７ 取付金具
４２ 軽量間仕切り壁
ｔ 固定金具の厚さ
ｈ１ 配線ボックスの高さ
ｈ２ 配線ボックスの底面から開口面までの内部高さ
【図１】
0004446266.tif 000002
【図２】
0004446266.tif 000003
【図３】
0004446266.tif 000004
【図４】
0004446266.tif 000005
【図５】
0004446266.tif 000006
【図６】
0004446266.tif 000007
【図７】
0004446266.tif 000008
【図８】
0004446266.tif 000009
【図９】
0004446266.tif 000010
【図１０】
0004446266.tif 000011
【図１１】
0004446266.tif 000012
【図１２】
0004446266.tif 000013
【図１３】
0004446266.tif 000014
【図１４】
0004446266.tif 000015
【図１５】
0004446266.tif 000016
【図１６】
0004446266.tif 000017
【図１７】
0004446266.tif 000018